(57)【要約】【課題】コンビニ等の地物に関する文字情報の表示処理を行うための操作を簡略化することが可能な表示制御装置等を提供する。【解決手段】ディスプレイ等の表示手段に表示されている地図上に、コンビニ等の地物を示すマークが表示され、表示されているマークのうち、いずれか一のマークが指定されると、一のマークが指定されたときに、指定されたマークが表示されている地図と共に、指定されたマークに対応する地物の情報が文字表示により表示手段に表示される。【選択図】  図７
2004309500.tif 000002
【特許請求の範囲】
【請求項１】
表示手段に地図を表示させ、地物を示すマークを当該地図上に表示させる制御手段と、
前記地図上に表示されている前記マークのうち、いずれか一の前記マークを指定する指定手段と、
を有し、
前記制御手段は、前記指定手段によって一の前記マークが指定されたときに、当該指定されたマークが表示されている前記地図と共に、当該指定されたマークに対応する前記地物の情報を文字表示により前記表示手段に表示させることを特徴とする表示制御装置。
【請求項２】
前記指定手段による前記マークの指定を変更させるための第１変更指令を行う第１指令手段をさらに有し、
前記指定手段は、前記第１指令手段によって前記第１変更指令がなされた際に、予め設定されているマーク指定順序に基づいて、前記第１変更指令の前に指定されているマークから別のマークに指定を変更することを特徴とする請求項１に記載の表示制御装置。
【請求項３】
前記指定手段による前記マークの指定を変更させるための指令であって前記第１変更指令と異なる第２指令を行う第２指令手段をさらに有し、
前記指定手段は、前記第２指令手段によって前記第２変更指令がなされた際に、前記マーク指定順序と逆の順序に基づいて、前記第２変更指令の前に指定されているマークから別のマークに指定を変更することを特徴とする請求項２に記載の表示制御装置。
【請求項４】
前記指定手段による前記指定されているマークから前記別のマークへの指定の変更は、前記指定されているマーク及び前記別のマークが表示されている前記地図が前記表示手段に表示されている状態で行われることを特徴とする請求項２又は３に記載の表示制御装置。
【請求項５】
音声を入力する音声入力手段をさらに有し、
前記指定手段は、前記音声入力手段の入力音声に基づいて一の前記マークを指定することを特徴とする請求項１乃至４のいずれか１項に記載の表示制御装置。
【請求項６】
表示手段に地図を表示させる地図表示工程と、
前記表示手段に表示されている前記地図上に地物を示すマークを表示させるマーク表示工程と、
前記地図上に表示されている前記マークのうち、いずれか一のマークを指定する指定工程と、
前記指定工程によって一の前記マークが指定されたときに、当該指定されたマークが表示されている前記地図と共に、当該指定されたマークに対応する前記地物の情報を文字表示により前記表示手段に表示させる情報表示工程と、
を有することを特徴とする表示制御方法。
【請求項７】
表示手段に地図を表示させる地図表示ステップと、
前記表示手段に表示されている前記地図上に地物を示すマークを表示させるマーク表示ステップと、
前記地図上に表示されている前記マークのうち、いずれか一のマークを指定する指定ステップと、
前記指定ステップによって一の前記マークが指定されたときに、当該指定されたマークが表示されている前記地図と共に、当該指定されたマークに対応する前記地物の情報を文字表示により前記表示手段に表示させる情報表示ステップと、
を有する表示制御プログラムを記録したことを特徴とする記録媒体。
【発明の詳細な説明】
【技術分野】
【０００１】
本発明は、表示制御装置、表示制御方法、及び表示制御プログラムを記録した記録媒体に関する。
【背景技術】
【０００２】
現在、例えば、自動車、航空機、船舶等の各種の移動体のための測位装置として、移動体が現在存在している地点を含む地図上の当該地点に当該移動体の位置を示す位置マークを重畳して表示し、これに基づいて目的地までの経路誘導を行う、いわゆるナビゲーション装置が知られている。このナビゲーション装置には、大別して自立型ナビゲーション装置とＧＰＳ（Global Positioning System ）型ナビゲーション装置がある。
【０００３】
前者は、移動体に備えられた方位センサ、速度センサ及び角速度センサ等により移動体の移動方向及び移動距離を求め、それを基準地点に加算して現在位置を算出し、算出した現在位置に基づいて、表示画面上に位置マーク及び該当する地図を表示するものである。
【０００４】
また、後者は、宇宙空間に打ち上げられている複数個のＧＰＳ衛星からの電波を受信し、受信結果に基づいて３次元測量法又は２次元測量法により移動体の現在位置を算出し、算出した現在位置に基づいて、表示画面上に位置マーク及び該当する地図を表示するものである。
【０００５】
更に最近では、上述の自立型とＧＰＳ型の双方の機能を備えたナビゲーション装置が一般化しつつある。
【０００６】
上述のナビゲーション装置によれば、使用者は自己の現在位置と当該現在位置付近の地図とを関連付けて把握することができるために、はじめて通過する地域であっても迷うことなく、目的地まで到達することができる。
【０００７】
ところで、近年のナビゲーション装置においては、単に地図と位置マークを表示するだけでなく、種々の情報を使用者に提供することが可能とされている場合が多い。例えば、運行予定の経路が予め設定されているときは、自動的にその経路にそって地図を移動させて（スクロールさせて）、これから通過する予定の経路上の状態を表示する、いわゆるルートスクロール機能や、また、高速道路を走行中においては、一般の道路と表示態様を変えて当該高速道路の状態を理解しやすく表示する、いわゆるハイウエイモード機能等の処理が可能となっているものがある。
【０００８】
【特許文献１】特開平８−２７１２７３
【発明の開示】
【発明が解決しようとする課題】
【０００９】
しかしながら、従来のナビゲーション装置においては、上記例示の諸機能を開始するためには、複雑な操作が必要であるという問題点があった。
【００１０】
すなわち、例えば、ルートスクロール機能を開始する際には、通常の地図表示状態であるディスプレイ上に所定のいわゆるウインドウを開き、階層的な操作をしてからでないと当該ルートスクロール機能が開始できないのである。
【００１１】
すなわち、例えば、上記ルートスクロール機能の実施に当たっては、使用者は、先ず、「機能」というウインドウを開き、続いて「ルート」のウインドウを開くことが必要である。そして、当該「ルート」に対応するウインドウの中には、「ルート削除」或は「ルート編集」といった機能コマンドが配置されており、その中から「ルートスクロール」に対応するコマンドを選択することで初めて所望のルートスクロール機能が実行できるようになるのである。そして、このような複雑な操作は、安全上の観点からも好ましいものではない。
【００１２】
そこで、本発明は、上記の問題点に鑑みてなされたもので、その課題は、上記諸機能を開始するための操作を簡略化して利用上の利便性を向上させることが可能な表示制御装置、表示制御方法、及び表示制御プログラムを記録した記録媒体を提供することにある。
【課題を解決するための手段】
【００１３】
上記の課題を解決するために、請求項１に記載の発明に係る表示制御装置は、表示手段に地図を表示させ、地物を示すマークを当該地図上に表示させる制御手段と、前記地図上に表示されている前記マークのうち、いずれか一の前記マークを指定する指定手段と、を有し、前記制御手段は、前記指定手段によって一の前記マークが指定されたときに、当該指定されたマークが表示されている前記地図と共に、当該指定されたマークに対応する前記地物の情報を文字表示により前記表示手段に表示させることを特徴とする。
【００１４】
また、請求項６に記載の発明に係る表示制御方法は、表示手段に地図を表示させる地図表示工程と、前記表示手段に表示されている前記地図上に地物を示すマークを表示させるマーク表示工程と、前記地図上に表示されている前記マークのうち、いずれか一のマークを指定する指定工程と、前記指定工程によって一の前記マークが指定されたときに、当該指定されたマークが表示されている前記地図と共に、当該指定されたマークに対応する前記地物の情報を文字表示により前記表示手段に表示させる情報表示工程と、を有することを特徴とする。
【００１５】
また、請求項７に記載の発明に係る記録媒体は、表示手段に地図を表示させる地図表示ステップと、前記表示手段に表示されている前記地図上に地物を示すマークを表示させるマーク表示ステップと、前記地図上に表示されている前記マークのうち、いずれか一のマークを指定する指定ステップと、前記指定ステップによって一の前記マークが指定されたときに、当該指定されたマークが表示されている前記地図と共に、当該指定されたマークに対応する前記地物の情報を文字表示により前記表示手段に表示させる情報表示ステップと、を有する表示制御プログラムを記録したことを特徴とする。
【発明を実施するための最良の形態】
【００１６】
次に、本発明に好適な実施の形態について図面に基づいて説明する。なお、以下の実施形態は、本発明を自動車等における車載型ナビゲーション装置に適用した場合について説明するものである。
【００１７】
（１）装置構成
始めに、本実施形態のナビゲーション装置の構成及び概要動作について、図１を用いて説明する。
【００１８】
図１に示すように、実施形態に係るナビゲーション装置Ｓは、自車の発進又は停止並びに加速時又は減速時における自車に実際に加わる進行方向の加速度を検出し、加速度データを出力する加速度センサ１と、例えば、自車の方向変換時の角速度を検出し、角速度データ及び相対方位データを出力する角速度センサ２と、タイヤの回転に対応した車速パルス信号を検出する走行距離センサ３と、ＧＰＳ衛星からの電波を受信して自車が存在する緯度及び経度等のＧＰＳ測位データを出力すると共に、自車の進行方向の絶対方位データを出力するＧＰＳ受信機４とを備えている。
【００１９】
更に、ナビゲーション装置Ｓは、上記加速度センサ１、角速度センサ２、走行距離センサ３及びＧＰＳ受信機４から夫々出力される、加速度データ、相対方位データ、角速度データ、車速パルス信号の検出信号、ＧＰＳ測位データ及び絶対方位データに基づいて、ナビゲーション装置Ｓ全体の制御を行うシステムコントローラ５と、各種データを入力するためのリモコン装置等の入力装置１１と、地図情報を記録した記録媒体としてのＤＶＤ−ＲＯＭ（DVD-Read Only Memory）ディスクＤＫ1及びＣＤーＲＯＭ（Compact Disk-ROM）ディスクＤＫ2をシステムコントローラ５の制御の下で夫々再生するＤＶＤ−ＲＯＭドライブ１２ａ及びＣＤ−ＲＯＭドライブ１２ｂと、システムコントローラ５の制御の下、各種表示データを表示する表示ユニット１３と、システムコントローラ５の制御の下で各種音声データを再生し、出力する音響再生ユニット１８と、近年実用化が進んでいるＶＩＣＳ（Vehicle Information and Communication System）に基づく渋滞情報を受信するＶＩＣＳ受信部２２とを備えている。
【００２０】
上記の構成において、システムコントローラ５は、ＧＰＳ受信機４等の外部センサとのインターフェース動作を行うインターフェース部６と、上記車速パルス信号の検出信号におけるパルス数を計数することにより自車の移動距離を算出すると共に、システムコントローラ５全体を制御する指定手段及び表示制御手段としてのＣＰＵ７と、システムコントローラ５を制御する制御プログラム等が格納された記録媒体としてのＲＯＭ（Read Only Memory）８と、入力装置１１を介して使用者により予め設定された経路データ等の各種データを読み書き可能に格納するＲＡＭ（Random Access Memory）９とを備えている。そして、当該入力装置１１、ＤＶＤ−ＲＯＭドライブ１２ａ、ＣＤ−ＲＯＭドライブ１２ｂ、表示ユニット１３、音響再生ユニット１８及びＶＩＣＳ受信部２２とは、バスライン１０を介して接続されている。また、上記各センサ等とはインターフェース６及びバスライン１０を介して接続されている。
【００２１】
次に、表示ユニット１３は、バスライン１０を介してＣＰＵ７から送信される制御データに基づいて表示ユニット１３全体の制御を行うマーク表示手段、選択情報表示手段としてのグラフィックコントローラ１４と、即時表示可能な画像情報を一時的に記録するＶＲＡＭ（Video RAM）等のメモリからなるバッファメモリ１５と、グラフィックコントローラ１４から出力される画像データに基づいて、液晶、ＣＲＴ（Cathode Ray Tube）等の表示手段としてのディスプレイ１７を表示制御する表示制御部１６と、を備えて構成されている。
【００２２】
更に、音響生成ユニット１８は、ＤＶＤ−ＲＯＭドライブ１２ａ、ＣＤ−ＲＯＭドライブ１２ｂ又はＲＡＭ９からバスライン１０を介して送信されてくる音声ディジタルデータのＤ／Ａ変換を行うＤ／Ａコンバータ１９と、Ｄ／Ａコンバータ１９から出力される音声アナログ信号を増幅する増幅器２０と、増幅された音声アナログ信号を音声に変換して出力するスピーカ２１とを備えて構成されている。
【００２３】
次に、概要動作について説明する。
【００２４】
上述した構成のナビゲーション装置Ｓが起動されると、システムコントローラ５は、先ずＤＶＤ−ＲＯＭディスクＤＫ1又はＣＤーＲＯＭディスクＤＫ2から地図情報等をアクセスするための情報と、自車位置マーク等の表示情報等を読み出してＲＡＭ９に記憶する。そして、走行距離センサ３の出力（車速パルス信号の検出信号）を読み取り、読み取った出力に基づいて走行距離を算出する。
【００２５】
次に角速度センサ２の出力を読み取り、読み取った出力に基づいて進行方向を算出する。
【００２６】
その後、上記走行距離データ及び進行方向データに基づいて、自車の現在位置の演算を行い、自車の現在位置を求める。そして、当該求めた自車の現在位置に対応する地図情報をＤＶＤ−ＲＯＭディスクＤＫ1又はＣＤーＲＯＭディスクＤＫ2から読み出してグラフィックコントローラ１４に出力し、現在位置を含む地図をディスプレイ１７に表示する。
【００２７】
このとき、随時ＧＰＳ受信機４から出力されるＧＰＳ測位データに基づいて上記走行距離センサ３及び角速度センサ２から算出される各データの補正を行う。そして、当該各データにより位置マークの表示位置と表示方向及びディスプレイ１７に表示する地図の更新を行う。
【００２８】
なお、上記走行距離データについては、走行距離センサ３の出力信号を用いて算出する他に、加速度センサ１の出力信号により求めてもよい。
【００２９】
（２）ナビゲーション処理の実施形態
次に、本発明に係るナビゲーション処理の実施形態について、図２乃至９を用いて説明する。
【００３０】
以下の実施形態においては、ディスプレイ１７に表示される地図内に所定のマークが同時表示され、当該マークを指定することにより、当該マークに対応して予め設定されているナビゲーションのための処理が開始される。
【００３１】
図２に示すように、ナビゲーション処理の実施形態においては、処理が開始されると、始めに、上記加速度センサ１等の各センサからのデータに基づいて自車の現在位置が検出され（ステップＳ１）、当該現在位置を含む地図情報がＤＶＤ−ＲＯＭディスクＤＫ1又はＣＤーＲＯＭディスクＤＫ2から読み出され、対応する地図が自車位置を示す位置マークと共にディスプレイ１７に表示される（ステップＳ２）。
【００３２】
そして、表示されている地図に重畳して、例えば、レストラン、コンビニエンスストア又は高速道路への入口等を示す種々のマーク（一般には、ピクトとばれる場合もある。）が表示される（ステップＳ３）。ステップＳ３の処理が終了した後のディスプレイ１７上の表示例としては、例えば、図３に示す表示となる。
【００３３】
図３に示す表示例では、ディスプレイ１７の表示画面Ｄにおいて、道路Ｒや高速道路ＨＷのほかに、予め設定されている経路ＰＲ上に自車の現在位置を示す自車位置マークＣが表示されており、更に、今後通過すべき経由点を示すマークＭＫpも表示されている。そして、ナビゲーション処理の進行に伴って、当該自車位置マークＣが自車の進行速度に対応してマークＭＫpで示される経由点に徐々に近付いてゆくこととなる。更に、当該表示画面Ｄには、著名な地物として、例えば、コンビニエンスストアを示すマークＭＫ1や、高速道路への入口を示すマークＭＫ2が表示されている。更にまた、後述の処理により、上記各マークを指定するためのカーソルＫも表示されている。このカーソルＫは、入力装置１１上の、例えば、トラックボール、ジョイスティック等を操作することにより、表示画面Ｄ内を自由に移動して後述の指定処理（一般的には、クリック処理と呼ばれる場合がある。）を行うことができるように構成されている。
【００３４】
なお、カーソルＫを用いた指定処理においては、入力装置１１上のトラックボールを用いて行う他に、例えば、図４に示すように、カーソル操作用のメニュー４０を表示画面Ｄ内に表示し、これらをジョイスティック等を操作することによりカーソルＫを移動させて指定することにより、予め設定された所定の順番で各マークに対する指定処理を行うようにしてもよい。
【００３５】
すなわち、表示画面Ｄ内の全てのマークに対して、メニュー４０中のキー４１をジョイスティック等によるカーソルＫの移動により指定する度に、当該全てのマークを予め設定されている順序で指定してゆくように構成するのである。より具体的には、例えば、マークＭＫ1を指定しているときにキー４１をカーソルＫにより指定すると、カーソルＫ自体を移動することなく自動的に次のマークＭＫpが指定されるのである。
【００３６】
また、同様に、表示画面Ｄ内の全てのマークに対して、メニュー４０中のキー４２をカーソルＫにより指定する度に、当該全てのマークを上記予め設定されている順序と逆順序で指定してゆくように構成することもできる。より具体的には、例えば、マークＭＫpを指定しているときにキー４２をカーソルＫにより指定すると、カーソルＫ自体を移動することなく自動的に前のマークＭＫ1に戻って指定処理が行われるのである。
【００３７】
更に、図４に示すキー４３は、例えば、地図上に他の文字情報等の画像を表示させる際にカーソルＫにより指定処理されるものである。
【００３８】
また、図４に示すキー４４は、メニュー４０を消去して通常のナビゲーション処理に戻るときにカーソルＫにより指定処理されるものである。
【００３９】
更にまた、メニュー４０を表示して指定処理を行う他に、例えば、ナビゲーション装置Ｓに音声入力のための構成を追加し、これと介して、例えば、「次へ」、「前へ」等の音声を入力することにより、カーソルＫを移動させることなく各マークの連続的な指定処理を行うように構成することも可能である。
【００４０】
次に、ステップＳ３において各マークを表示するためのデータの構成について、図５を用いて説明する。
【００４１】
図５に示すように、一のマークを表示するためのデータとしては、描画情報２５と、選択情報２７と、処理選択情報２９と、固有情報２８と、アドレス情報３０及び３１が用意されている。このうち、選択情報２７と、処理選択情報２９と、固有情報２８と、アドレス情報３０及び３１とにより当該マークに対応するマーク情報２６を構成している。
【００４２】
このデータ構成において、描画情報２５には、当該マークを表示すべき地図上の座標情報及び実際にマークを描画するための色情報や形状情報が含まれている。
【００４３】
そして、固有情報２８には、対応するマークで示される地物に関する文字情報（例えば、コンビニエンスストアに対応するマークＭＫ1においては、当該コンビニエンスストアの営業時間、住所、電話番号、取り扱い品目等の文字で表示可能な情報）が格納されている。なお、固有情報２８としては、当該文字情報そのものを固有情報２８として含ませてもよいし、また、当該文字情報が記録されている上記ＤＶＤ−ＲＯＭディスクＤＫ1又はＣＤーＲＯＭディスクＤＫ2上のアドレス情報又はＲＡＭ９上のアドレス情報を記憶しておくようにしてもよい。
【００４４】
一方、アドレス情報３０又は３１には、当該マークに対応して予め設定されている上記処理を実行するためのプログラムが記録されている上記ＤＶＤ−ＲＯＭディスクＤＫ1又はＣＤーＲＯＭディスクＤＫ2上のアドレス情報又はＲＯＭ８上のアドレス情報が含まれている。
【００４５】
そして、選択情報２７には、一のマークをカーソルＫを用いて指定したとき、当該マークに対応するデータとして上記固有情報２８及びアドレス情報３０（又は３１）が含まれている場合に、それらの一方を選択するための選択画面を表示する情報が含まれている。
【００４６】
更に、処理選択情報２９には、アドレス情報３０又は３１のいずれか一方を選択し、対応する処理を開始するための選択画面を表示する情報が含まれている。
【００４７】
なお、図５に示すデータ構造については、描画情報２５は全てのマークに対応して必須であるが、その他の固有情報２８、アドレス情報３０等のマーク情報２６は任意で予め含ませることができる。
【００４８】
ステップＳ３において、図５に示すデータに基づいてマークが表示されると、次に、いずれかのマークがカーソルＫにより指定されたか否が判定される（ステップＳ４）。そして、いずれのマークも指定されないときは（ステップＳ４；ｎｏ）そのままステップＳ１１に移行し、いずれかのマークが指定されたときは（ステップＳ４；ｙｅｓ）、次に、当該指定されたマークに対応して構成されているマーク情報２６の内容が判定される（ステップＳ５）。
【００４９】
そして、マーク情報２６が上記固有情報２８のみのときは、当該固有情報２８に対応する文字情報が、表示画面Ｄ内の所定の位置に表示される（ステップＳ１０）。
【００５０】
ステップＳ１０において表示される画像について図７を用いて具体的に説明すると、例えば、図３におけるコンビニエンスストアに対応するマークＭＫ1が指定されたときは、対応する固有情報２８として、図７に示す営業時間、住所又は電話番号等の文字情報Ｌが表示される。また、図３における高速道路の入口をマークＭＫ2が指定されたときは、例えば、高速道路ＨＷの料金や渋滞情報等が文字情報Ｌとして表示される。そして、固有情報２８が表示されるとその後はステップＳ１１に移行する。
【００５１】
一方、ステップＳ５の判定において、マーク情報２６として上記固有情報２８の他に、所定の処理を実行するための上記アドレス情報３０（又は３１）が存在するときは、次に、選択情報２７を用いて、固有情報２８とアドレス３０（又は３１）のいずれかを選択するための選択画面を表示画面Ｄ内の所定の位置に表示する（ステップＳ６）。この選択画面の例としては、例えば、図６（ａ）に示すように、固有情報２８を指定するためのボタン３５と上記所定の処理を実行することを指定するためのボタン３６とが表示され、それらがカーソルＫにより指定可能な状態となる。
【００５２】
次に、ステップＳ６において表示されている選択画面上において、固有情報２８の表示（ボタン３５に相当する。）が指定されたか否が判定され（ステップＳ７）、固有情報２８の表示が指定されたときは（ステップＳ７；ｙｅｓ）、上記ステップＳ１０に移行する。
【００５３】
一方、ステップＳ７の判定において、所定の処理を実行すること（ボタン３６に相当する。）が指定されたときは（ステップＳ７；ｎｏ）、次に、処理選択情報２９を用いて、アドレス情報３０とアドレス情報３１のいずれかを選択するための選択画面が表示画面Ｄ内の所定の位置に表示される（ステップＳ８）。この選択画面の例としては、図６（ｂ）に示すように、例えば、ルートスクロール処理を指定するためのボタン３７とハイウエイモード処理を実行するためのボタン３８とが表示され、それらがカーソルＫにより指定可能な状態となる。
【００５４】
なお、図６（ｂ）に示す例は、ステップＳ４において指定されたマークに対応するマーク情報２６として二つの所定の処理（図６（ｂ）の場合、ルートスクロール処理とハイウエイモード処理）に対応するアドレス情報３０及び３１が含まれている場合に対応するものであり、マーク情報２６として三つ以上の所定の処理が設定されているときは対応する数のボタンが表示され、更にマーク情報２６として所定の処理が一つだけ設定されているときは対応するボタンも一つだけ表示される。
【００５５】
ステップＳ８において処理を選択するための選択画面が表示されると、次に、ステップＳ９において、選択画面上で指定された処理に対応するプログラムがアドレス情報３０又は３１に基づいてＤＶＤ−ＲＯＭディスクＤＫ1又はＣＤーＲＯＭディスクＤＫ2或はＲＯＭ８から読み出され、実行される。なお、図６（ｂ）に例示したルートスクロール処理又はハイウエイモード処理については、後ほど説明する。
【００５６】
ステップＳ９において所定の処理が実行されると、次に、ナビゲーション処理を終了するか否かが判定され（ステップＳ１１）、終了しないときは（ステップＳ１１；ｎｏ）上記の処理を繰り返すべくステップＳ１に戻り、終了するときは（ステップＳ１１；ｙｅｓ）、そのまま処理を終了する。
【００５７】
一方、ステップＳ５の判定において、マーク情報２６として所定の処理を実行するための上記処理選択情報及びアドレス情報のみが存在するときは、次に、当該所定の処理が一種類のみか否かが判定され（ステップＳ１２）、一種類のみであるときは（ステップＳ１２；ｙｅｓ）ステップＳ９へ移行し、二種類以上あるときは（ステップＳ１２；ｎｏ）ステップＳ８へ移行して所定の処理の種類の数に対応する数のボタンを表示し、実行する処理の選択動作を行う。
【００５８】
次に、図６（ｂ）において例示したうち、ルートスクロール処理の概要について、図３及び図８を用いて説明する。
【００５９】
上述のように、ルートスクロール処理は、運行予定の経路ＰＲが予め設定されているとき、自動的にその経路ＰＲにそって地図をスクロールさせて、これから通過する予定の経路ＰＲ上の状態を表示する処理である。従って、図３のように自車の現在位置を含む地図からルートスクロール処理を開始すると、図８に示すように、経路ＰＲに沿って地図がスクロールすることにより、今後通過する予定の領域の状態が表示される。図８に示す例では、経路ＰＲ上で高速道路ＨＷを通過した以降に存在する次の経由点を示すマークＭＫpや、新たに表示範囲内に入ったコンビニエンスストアを示すマークＭＫ3やレストランを示すマークＭＫ4が表示されている。このルートスクロール処理を実行するためのマーク情報２６は、主として経路ＰＲ上の各経由点を示すマークＭＫpに対応させて予め設定しておけば、経由点を示すマークＭＫpを指定することによりルートスクロール処理を開始できるので便利である。
【００６０】
次に、図６（ｂ）において例示したうち、ハイウエイモード処理の概要について、図３及び図９を用いて説明する。
【００６１】
上述のように、ハイウエイモード処理は、一般の道路と表示態様を変えて高速道路の状態を表示する処理である。そして、このハイウエイモード処理が開始されると、ディスプレイ１７上には、図３に示すような一般の道路を含んだ地図が表示されることはなく、図９に示すような画像が表示される。すなわち、キースイッチ形状に描画されたコマンド入力用のメッセージエリアであるキーガイド５０が表示されると共に、路線名描画領域５１内に当該高速道路の路線名が表示され、更に、施設名描画領域５２内の個別施設名描画領域５３に進行先のサービスエリア又はインターチェンジ等が夫々表示される。また、インターチェンジにおいて分岐する高速道路があるときは、それが分岐路シンボル５４として表示され、更に詳細施設情報描画領域５５には最も近いサービスエリア等の詳細情報が表示される。このハイウエイモード処理を実行するためのマーク情報２６は、主として高速道路への入口を示すマークＭＫ2に対応させて予め設定しておけば、高速道路自体に入る前に当該高速道路の状況を把握することができるので便利である。
【００６２】
なお、高速道路が経路ＰＲとして設定されているときは、マークＭＫ2に対応させて図６（ｂ）に示すような二つのボタンを表示し、その中から選択できるようにすることもできる。この場合には、経路の有無に応じた処理選択情報２９及びアドレス情報３０（又は３１）を備えることが必要である。
【００６３】
以上説明したように、実施形態のナビゲーション装置Ｓの処理によれば、ナビゲーション処理に含まれる予め設定されたルートスクロール処理等の所定の処理を行うためのマーク情報２６を有するマークを対応する処理を開始するのに適切な地図上の地点に配置し、指定されたマークが有するマーク情報２６に基づいて対応する所定の処理を行うので、当該所定の処理を行うための操作を簡略化することができる。
【００６４】
また、マークが指定されたとき、当該指定されたマークが有するマーク情報２６に基づいてボタン３５又は３６等を表示し、当該ボタン３５又は３６等を指定処理することにより選択された所定の処理を開始するので、当該所定の処理を選択開始するまでの操作を簡略化することができる。
【００６５】
なお、上述の実施形態においては、マーク情報２６内に固有情報２８と所定の処理を開始するためのアドレス情報３０等とが含まれている場合について説明したが、これに限らず、固有情報２８を有さず所定の処理を開始するための処理選択情報２９及びアドレス情報３０等のみを有するマークを設けておけば、これをカーソルＫにより指定処理することにより、直ちに上記ルートスクロール処理等の所定の処理を開始するように構成することもできる。
【００６６】
この場合には、マーク情報２６が所定の処理を開始するためのマーク情報であると共に、マークが指定されたとき、当該指定されたマークが有するマーク情報２６に基づいて対応する所定の処理を開始するので、当該所定の処理を開始するまでの操作を簡略化することができる。
【００６７】
以上説明したように、実施形態のナビゲーション装置に適用した表示制御装置によれば、表示手段に表示されている地図上に地物を示すマークが表示され、表示されているマークのうち、いずれか一のマークが指定されると、一のマークが指定されたときに、指定されたマークが表示されている地図と共に、指定されたマークに対応する地物の情報が文字表示により表示手段に表示されるので、当該情報表示を行うための操作を簡略化することができる。
【００６８】
従って、ナビゲーションシステムにおける利便性が向上する。
【図面の簡単な説明】
【００６９】
【図１】実施形態のナビゲーション装置の概要構成を示すブロック図である。
【図２】実施形態のナビゲーション処理の動作を示すフローチャートである。
【図３】ナビゲーション処理における通常の表示例を示す図である。
【図４】マーク選択のためのメニューの表示例を示す図である。
【図５】マーク情報を含むデータ構造を示す図である。
【図６】選択情報の表示例を示す図であり、（ａ）は固有情報と処理情報を選択するための表示例であり、（ｂ）は処理自体を選択するための表示例である。
【図７】文字情報が表示されている表示画面の例を示す図である。
【図８】ルートスクロール処理の際の表示画面の例を示す図である。
【図９】ハイウエイモード処理の際の表示画面の例を示す図である。
【符号の説明】
【００７０】
１…加速度センサ
２…角速度センサ
３…走行距離センサ
４…ＧＰＳ受信機
５…システムコントローラ
６…インターフェース
７…ＣＰＵ
８…ＲＯＭ
９…ＲＡＭ
１０…バスライン
１１…入力装置
１２ａ…ＣＤ−ＲＯＭドライブ
１２ｂ…ＤＶＤ−ＲＯＭドライブ
１３…表示ユニット
１４…グラフィックコントローラ
１５…バッファメモリ
１６…表示制御部
１７…ディスプレイ
１８…音響再生ユニット
１９…Ｄ／Ａコンバータ
２０…増幅器
２１…スピーカ
２２…ＶＩＣＳ受信部
２５…描画情報
２６…マーク情報
２７…選択情報
２８…固有情報
２９…処理選択情報
３０、３１…アドレス情報
３５、３６、３７、３８…ボタン
４０…メニュー
４１、４２、４３、４４…キー
５０…キーガイド
５１…路線名描画領域
５２…施設名描画領域
５３…個別施設名描画領域
５４…分岐路シンボル
５５…詳細施設情報描画領域
ＤＫ1…ＤＶＤ−ＲＯＭディスク
ＤＫ2…ＣＤ−ＲＯＭディスク
Ｓ…ナビゲーション装置
Ｒ…道路
ＰＲ…経路
Ｄ…表示画面
Ｗ…拡大図
Ｃ…自車位置マーク
Ｍ…地図
ＨＷ…高速道路
Ｋ…カーソル
Ｌ…文字情報
ＭＫ1、ＭＫ2、ＭＫ3、ＭＫ4、ＭＫp…マーク
【図１】
2004309500.tif 000003
【図２】
2004309500.tif 000004
【図３】
2004309500.tif 000005
【図４】
2004309500.tif 000006
【図５】
2004309500.tif 000007
【図６】
2004309500.tif 000008
【図７】
2004309500.tif 000009
【図８】
2004309500.tif 000010
【図９】
2004309500.tif 000011
【手続補正書】
【提出日】平成16年6月30日(2004.6.30)
【手続補正１】
【補正対象書類名】特許請求の範囲
【補正対象項目名】請求項３
【補正方法】変更
【補正の内容】
【請求項３】
前記指定手段による前記マークの指定を変更させるための指令であって前記第１変更指令と異なる第２変更指令を行う第２指令手段をさらに有し、
前記指定手段は、前記第２指令手段によって前記第２変更指令がなされた際に、前記マーク指定順序と逆の順序に基づいて、前記第２変更指令の前に指定されているマークから別のマークに指定を変更することを特徴とする請求項２に記載の表示制御装置。